(57)【要約】【課題】植物の生育を促進できる園芸用ハウスを提供する。【解決手段】園芸用ハウスは、骨組みと、蓬、柿の葉、及びイタドリを主原料とする植物加工物を含有し、骨組みに張り渡される加工樹脂フィルムと、を備える。植物加工物は、蓬、柿の葉、及びイタドリ以外の植物を含有していてもよい。また、植物加工物は、蓬、柿の葉、及びイタドリ以外のその他の添加物を含んでいてもよい。加工用樹脂フィルムは、植物加工物及び樹脂以外の成分を含んでいてもよい。【選択図】なし【特許請求の範囲】
【請求項１】
骨組みと、
蓬、柿の葉、及びイタドリを主原料とする植物加工物を含有し、前記骨組みに張り渡される加工樹脂フィルムと、
を備える園芸用ハウス。
【請求項２】
蓬、柿の葉、及びイタドリを主原料とする植物加工物を含有する園芸ハウス用加工樹脂フィルム。
【発明の詳細な説明】
【技術分野】
【０００１】
本発明は、園芸用ハウスに関するものである。
【背景技術】
【０００２】
従来の園芸用ハウスは、骨組みに透光性の樹脂フィルムを張って作られていた。
【０００３】
この透光性の樹脂フィルムは、例えばポリエチレン、ポリプロピレン、塩化ビニルなどが用いられてきた。この技術によっては、温室の内部は暖かいために害虫やカビなどが発生しやすく、また露地栽培より概して植物の生育はよくなかった。
【０００４】
この点に関し、樹脂に蓬の抽出物を混ぜ込んだフィルムが提案されている（例えば、特許文献１。）。
【０００５】
しかし、カビの発生は若干抑えられるものの、害虫の発生や植物の生育の促進の効果は得られなかった。
【先行技術文献】
【特許文献】
【０００６】
【特許文献１】特開２０１１−５６８７７号公報
【発明の概要】
【発明が解決しようとする課題】
【０００７】
本発明が解決しようとする課題は、植物の生育を促進できる園芸用ハウスを提供することである。
【課題を解決するための手段】
【０００８】
本発明は、骨組みと、蓬、柿の葉、及びイタドリを主原料とする植物加工物を含有し、前記骨組みに張り渡される加工樹脂フィルムと、を備える園芸用ハウスを提供する。
【発明の効果】
【０００９】
本発明によれば、植物の生育を促進できる園芸用ハウスを提供することができる。
【図面の簡単な説明】
【００１０】
【図１】実験に使用した園芸用ハウス及び従来のハウスの外観図。
【図２】園芸用ハウスの中において栽培されたキャベツを示す図。
【図３】従来のハウスの中において栽培されたキャベツを示す図。
【図４】園芸用ハウスの中において栽培された白菜を示す図。
【図５】従来のハウスの中において栽培された白菜を示す図。
【図６】園芸用ハウスの中において栽培されたキャベツを示す図。
【図７】従来のハウスの中において栽培されたキャベツを示す図。
【図８】図６のキャベツ（左）と図７のキャベツ（右）の大きさを比較した図。
【図９】園芸用ハウスの中において栽培された白菜と、従来のハウスの中において栽培された白菜の大きさを比較した図。
【図１０】園芸用ハウスの中において栽培されたブロッコリーと、従来のハウスの中において栽培されたブロッコリーの大きさを比較した図
【図１１】園芸用ハウスの中において栽培されたキャベツの断面を示す図。
【図１２】従来のハウスの中において栽培されたキャベツの断面を示す図。
【図１３】園芸用ハウスの中において栽培された白菜の断面を示す図。
【図１４】従来のハウスの中において栽培された白菜の断面を示す図。
【発明を実施するための形態】
【００１１】
以下、本発明の一実施形態にかかる園芸用ハウス及び園芸ハウス用加工樹脂フィルムを、図面を参照しながら説明する。
【００１２】
本実施形態の園芸用ハウスは、骨組みと、この骨組みに張り渡される加工樹脂フィルムと、を備える。
【００１３】
骨組みは、従来の園芸用ハウスに用いられているものをそのまま用いることができる。
【００１４】
加工樹脂フィルムは、蓬、柿の葉、及びイタドリを主原料とする植物加工物を含有する。
【００１５】
（植物加工物の製法）
植物加工物は、以下のように製造される。
【００１６】
（１）蓬、柿の葉、及びイタドリの生の葉及び枝を主原料とする植物の粉砕物を水性溶媒によって抽出する。植物の粉砕物の中には、蓬、柿の葉、及びイタドリ以外の植物が含有されていてもよい。
【００１７】
水性溶媒は、例えば水、エタノールを挙げることができる。
【００１８】
（２）（１）の抽出物を所定時間発酵させる。
【００１９】
発酵に用いる菌は、例えば酵母菌を用いることができる。
【００２０】
なお、植物加工物は有限会社ネイチャーグレイス社製、商品名「万生」を用いることができる。また、植物加工物はその他の添加物、例えば糖類、ビタミン類、アミノ酸類などを含んでいてもよい。
【００２１】
（樹脂フィルムの製法）
樹脂フィルムは、マスターバッチにより植物加工物を樹脂に練り込み、ペレット化したものを、３〜５重量％の割合にて樹脂に練り込むことにより製造される。
【００２２】
具体的な製法を以下に述べる。
【００２３】
（１）上記の植物加工物１００ｇに対して樹脂ペレット１００ｇの割合にて混合し、１００℃〜１１０℃により加熱しながら撹拌する。
【００２４】
樹脂は、例えばポリエチレン、ポリプロピレン、及び塩化ビニルから１種類以上選ばれる樹脂を用いることができる。
【００２５】
（２）水分が蒸発しきるまで、練り込む。
【００２６】
（３）ペレットに成型し、植物加工物ペレットとする。
【００２７】
（４）植物加工物ペレットの重量比が３重量％〜５重量％となるように、樹脂に加熱しながら練り込む。加熱温度は、樹脂が軟化する程度の温度である。
【００２８】
（５）ペレットに成型し、原料樹脂ペレットとする。
【００２９】
（６）原料樹脂ペレットを加熱しながらフィルム状に伸延し、加工樹脂フィルムとする。
【００３０】
加工樹脂フィルムの厚さは、０．１ｍｍ〜０．５ｍｍが、加工性の点から望ましい。
【００３１】
加工樹脂フィルムは、他の成分を含んでいてもよい。他の成分は、例えば、分散剤、着色剤などである。加工樹脂フィルムは、他の成分を含んでいても、その効果を発揮することができる。
【００３２】
（園芸用ハウスの製法）
骨組みを地面に建植し、建植した骨組みに加工樹脂フィルムを張って園芸用ハウスとする。園芸用ハウスは、例えば側壁の加工樹脂フィルムの適宜の箇所に通気孔を設けることもできる。通気孔は開閉可能なようにしてもよい。園芸用ハウスは人が出入りする出入口を設けることもできる。
【００３３】
（園芸用ハウスの効果）
（実験）
図１は、実験に使用した園芸用ハウス及び従来のハウスの外観図である。図１に示すように、農地に骨組みを建植し、一方に加工樹脂フィルムを張って園芸ハウス（図１の左側）とし、他方に従来の樹脂フィルムを張って従来のハウス（図１の右側）とした。
【００３４】
両ハウスの中において、同時期にキャベツ、白菜、及びブロッコリーを種子から栽培し、比較した。
【００３５】
（虫のつき方）
図２は本実施形態の園芸用ハウスの中において栽培されたキャベツを示す図、図３は従来のハウスの中において栽培されたキャベツを示す図である。
【００３６】
図２及び図３に示すように、従来のハウスの中において栽培されたキャベツはかなりの程度虫に食われているが、本実施形態の園芸用ハウスの中において栽培されたキャベツはほとんど虫に食われていない。
【００３７】
図４は本実施形態の園芸用ハウスの中において栽培された白菜を示す図、図５は従来のハウスの中において栽培された白菜を示す図である。
【００３８】
図４及び図５に示すように、従来のハウスの中において栽培された白菜はかなりの程度虫に食われているが、本実施形態の園芸用ハウスの中において栽培された白菜はほとんど虫に食われていない。
【００３９】
従って、本実施形態の園芸用ハウスは、防虫という点において植物の生育を促進する効果がある。
【００４０】
（収穫物の大きさ）
図６は本実施形態の園芸用ハウスの中において栽培されたキャベツを示す図、図７は従来のハウスの中において栽培されたキャベツを示す図である。図８は、図６のキャベツ（左）と図７のキャベツ（右）の大きさを比較した図である。図９は、本実施形態の園芸用ハウスの中において栽培された白菜と、従来のハウスの中において栽培された白菜の大きさを比較した図である。図１０は、本実施形態の園芸用ハウスの中において栽培されたブロッコリーと、従来のハウスの中において栽培されたブロッコリーの大きさを比較した図である。
【００４１】
図６から図１０までに示すように、キャベツ、白菜及びブロッコリーのすべてにおいて、本実施形態の園芸用ハウスの中において栽培されたものの方が、従来のハウスの中において栽培されたものより大きさが大きかった。
【００４２】
従って、本実施形態の園芸用ハウスは、大きく育つという点において植物の生育を促進する効果がある。
【００４３】
（収穫物の品質）
図１１は本実施形態の園芸用ハウスの中において栽培されたキャベツの断面を示す図、図１２は従来のハウスの中において栽培されたキャベツの断面を示す図である。図１３は本実施形態の園芸用ハウスの中において栽培された白菜の断面を示す図、図１４は従来のハウスの中において栽培された白菜の断面を示す図である。
【００４４】
図１１から図１４までに示すように、キャベツ及び白菜の両方において本実施形態の園芸用ハウスの中において栽培されたものの方が、従来のハウスの中において栽培されたものより葉の密度が高かった。
【００４５】
従って、本実施形態の園芸用ハウスは、品質が良く育つという点において植物の生育を促進する効果がある。
【００４６】
以上述べたように、本実施形態の園芸用ハウスは、骨組みと、蓬、柿の葉、及びイタドリを主原料とする植物加工物を含有し、骨組みに張り渡される加工樹脂フィルムと、を備える。
【００４７】
従って、植物の生育を促進できる園芸用ハウスを提供することができるという効果がある。
【図１】
2019154247.tif 000002
【図２】
2019154247.tif 000003
【図３】
2019154247.tif 000004
【図４】
2019154247.tif 000005
【図５】
2019154247.tif 000006
【図６】
2019154247.tif 000007
【図７】
2019154247.tif 000008
【図８】
2019154247.tif 000009
【図９】
2019154247.tif 000010
【図１０】
2019154247.tif 000011
【図１１】
2019154247.tif 000012
【図１２】
2019154247.tif 000013
【図１３】
2019154247.tif 000014
【図１４】
2019154247.tif 000015